(57)【要約】【課題】火災の可能性があると判断したとき、火元の近くに居住者がいれば、より早い段階でその居住者に報知して確認を促す。【解決手段】監視対象を監視して検知信号を出力する検知部１１と、検知信号のレベルを、第１の閾値および、第１の閾値よりも高い第２の閾値と比較する比較部１２と、検知信号のレベルが第１の閾値を超えたときには、照明部１４を作動させて、照明によって報知し、前記第２の閾値を超えたときには、報知部１３を作動させて、警報メッセージによって報知する制御部１７とを備える。【選択図】図１
2010146391.tif 000002
【特許請求の範囲】
【請求項１】
床面または壁面を照明する照明部と、所定のメッセージを出力する報知部とを備えた警報器において、
監視対象を監視して検知信号を出力する検知部と、
前記検知信号のレベルを、第１の閾値および、前記第１の閾値よりも高い第２の閾値と比較する比較部と、
前記検知信号のレベルが前記第１の閾値を超えたときには、前記照明部を作動させて、照明によって報知し、前記第２の閾値を超えたときには、前記報知部を作動させて、警報メッセージによって報知する制御手段とを備えた警報器。
【請求項２】
請求項１において、
前記制御部は、前記照明部によって報知する際には、所定の照明パターンで点灯させる警報器。
【発明の詳細な説明】
【技術分野】
【０００１】
本発明は、壁面あるいは天井面に設置され、監視対象の異常を報知する警報器に関する。
【背景技術】
【０００２】
従来、火災警報器は、煙、熱等の火災要因を検知すると、ブザー等の警報音を出力する構成になっていたが、より改良された例では、更に、床面に向かって光を照射する照明部を備えたものがあった。例えば、次の特許文献１には、夜間などに火災が発生したときに、足元を確保して速やかに避難経路を見つけ出すことができるように、発光表受部を備えた火災警報器が開示されている。
【特許文献１】特開2006-039818号公報
【発明の開示】
【発明が解決しようとする課題】
【０００３】
しかしながら、特許文献１の構成では、火災の可能性がある、つまり煙、熱等のレベルが、火災と断定するよりも軽程度の場合には、警報音も鳴動せず、光を照射することもしないので、たとえ火元の部屋に居住者がいたとしても、その居住者は、その事態に気付かない虞があった。
【０００４】
そこで、本発明は、火災の可能性があると判断したとき、火元の近くに居住者がいれば、より早い段階でその居住者に報知できる警報器を提案する。
【課題を解決するための手段】
【０００５】
本発明は、床面または壁面を照明する照明部と、所定のメッセージを出力する報知部とを備えた警報器において、監視対象を監視して検知信号を出力する検知部と、前記検知信号のレベルを、第１の閾値および、前記第１の閾値よりも高い第２の閾値と比較する比較部と、前記検知信号のレベルが前記第１の閾値を超えたときには、前記照明部を作動させて、照明によって報知し、前記第２の閾値を超えたときには、前記報知部を作動させて、警報メッセージによって報知する制御手段とを備える。
【０００６】
なお、前記において、前記制御部は、前記照明部を作動させて報知する際には、所定の照明パターンで点灯させることが望ましい。
【発明の効果】
【０００７】
本発明では、検知信号のレベルが第１の閾値を超え、ほんの少しでも火災の可能性ありと判断したときには、その部屋にいる居住者に、照明によって速やかに報知して確認を促すことができる。しかし、離れた場所にいる居住者を、警報メッセージによって呼び寄せることはしないので、居住者を必要以上に煩わせることがない。
【０００８】
また、照明部を作動させて報知する際には、所定の照明パターンで点灯させる構成では、照明による報知がより目立つので、居住者に確実に気付かせることができる。
【発明を実施するための最良の形態】
【０００９】
以下、本発明の実施例を図に従って説明する。実施例は、監視対象として煙を監視して、異常と判断すると警報メッセージを出力する住宅用の火災警報器である。しかしながら、本発明は火災警報器のみに限定されず、ガス漏れ警報器等にも適用できる。
【００１０】
ここに、図１は、実施例の概略構成を示した機能ブロック図、図２はその実施例の外観を示した斜視図である。
【００１１】
警報器１は、監視対象として煙濃度を検知する検知部１１と、検知部１１が出力した煙濃度信号のレベルを、第１の閾値および、第１の閾値よりも高い第２の閾値と比較する比較部１２と、警報メッセージ等を音声出力する報知部１３と、床面または壁面を照明する照明部１４と、タイマ部１５と、操作部１６と、制御部１７とを備えている。
【００１２】
上記構成要素は、本体カバー１ａの内部に収容された基板によって回路構成されている。本体カバー１ａは、検知部１１を収容した防虫カバー１１ａ、操作部１６を構成する操作ボタン１６ａおよび引紐１６ｃ、表示灯１３ｂ、照明部１４のランプカバー１４ａ等が露出し、また、報知部１３を構成するスピーカ１３ａのための通音孔１３ｃ、操作ボタン１６ａに連動する引紐１６ｃを挿通させるための挿通孔１６ｂが形成されている。
【００１３】
なお、斜視図に示した警報器１は、壁面あるいは天井に取り付け可能な警報器の一例であるが、これ以外に、警報器内蔵型の照明器具であってもよい。
【００１４】
検知部１１は、遮光しつつ空気の流通を許容するラビリンス壁に囲まれた検知空間内に発光ダイオード等からなる発光器と、ホトダイオード等からなる受光器とを適宜配置した構成であり、発光器から照射した光が煙粒子によって反射された反射光を、受光器で受光して光電変換し、煙濃度信号として出力する。
【００１５】
比較部１２は、煙濃度信号のレベルを第１の閾値と比較して判定結果を制御部１７に通知する第１の比較部１２ａと、煙濃度信号のレベルを第２の閾値と比較して判定結果を制御部１７に通知する第２の比較部１２ｂとで構成されている。第１の閾値および第２の閾値はメモリ１８に保持されており、必要であれば制御部１７がその値を変更設定できるようになっている。なお、高い第２の閾値は、第１の閾値よりも大きな値とすることが望ましい。
【００１６】
制御部１７は、ＣＰＵ等で構成されており、制御プログラムに従って報知部１３、照明部１４を制御するが、特に本発明では、煙濃度信号のレベルが第１の閾値を超えたときには、照明部１４を作動させて、照明によって報知し、その後、更に第２の閾値を超えたときには、報知部１３を作動させて、警報メッセージによって報知するようにしている。
【００１７】
これにより、火災の可能性ありと判断したとき、つまり煙濃度信号のレベルが第１の閾値を超えたときには、その部屋にいる居住者に、照明によって速やかに報知して確認を促すことができる。しかし、離れた場所にいる居住者を、警報メッセージによって呼び寄せることはしないので、居住者を必要以上に煩わせることがない。もちろん、その後火災と断定した場合には、警報メッセージを出力するので、離れた場所にいる居住者にも火災を確実に報知できる。
【００１８】
報知部１３は、図示しない音声合成ＩＣ、増幅器、スピーカ１３ａや、表示灯１３ｂを構成する発光ダイオード等を備えている。音声合成ＩＣには、例えば「ヒュンヒュン、火事です。火事です」等の警報メッセージが予め格納されている。
【００１９】
照明部１４は、制御に応じて照明パターン、例えば輝度あるいは照明範囲を可変とすることが望ましい。そのためには、例えば高輝度の白色発光ダイオードからなる複数のランプを組み合わせ、所望のランプを点灯できるようにすればよい。この場合、制御部１７は、照明部１４を作動させて報知する際には、所定の照明パターンでランプを選択し点灯制御する。このようにすれば、照明による報知がより目立つので、居住者に確実に気付かせることができる。
【００２０】
図３は、実施例による照明の様子を示した模式図で、照度レベル「１」〜「３」に対応した照明範囲を例示している。この例では、照明部１４は、照明レベルに従って、より広い範囲を円状に照明するようにしている。
【００２１】
警報器１は、基本動作として、検知部１１が出力した煙濃度信号のレベルを、所定の周期で、第１の閾値および第２の閾値と比較し、煙濃度信号のレベルが第１の閾値を超え、火災の可能性ありと判断したときには、照明部１４を所定時間だけ作動させて照明により報知する。その後、煙濃度信号のレベルが第２の閾値を超え、火災と断定したときには、報知部１３を作動させて、警報メッセージにより報知する。この警報メッセージによる報知は、操作部１６で警報停止操作がなされるまで継続してなされる。
【００２２】
図４は、上記基本動作の手順を示したフローチャートである。この手順では、第１の比較部１２がまず煙濃度信号のレベルを読み取り、第１の閾値と比較する。その結果、煙濃度信号のレベルが第１の閾値を超えていれば、制御部１７に通知するので、制御部１７は、タイマ部１５をセットし、照明部１４の照明レベルを「０」に設定する（ステップ１０１〜１０４）。
【００２３】
ここで、照明レベルは、照明の輝度あるいは照明範囲を示した値で、大きい程、輝度が高い、あるいは照明範囲が広いことを意味する。なお、照明レベル「０」は消灯状態である。
【００２４】
次いで、照明レベルが「０」であるか否かを判断し、「０」であれば、「１」に設定変更する。同様にして、照明レベルが「１」、「２」であるか否かを判断し、「１」、「２」であれば、それぞれ「２」、「３」に設定変更する。また、照明レベルが「３」であるか否かを判断し、「３」であれば、「０」に戻す（ステップ１０５〜１１１）。
【００２５】
更に、タイマ部１５を参照して、タイムアップか否かを判断し、タイムアップでなければ、照明レベルの判断、変更の処理を繰り返す。このようにして、タイムアップするまでの間、照明パターンに従って点灯制御する（ステップ１０５〜１１１）。
【００２６】
その後、第２の比較部１２ｂが煙濃度信号のレベルを第２の閾値と比較する。その結果、煙濃度信号のレベルが第２の閾値を超えていれば、制御部１７は、報知部１３を作動させて、スピーカ１３ｂから警報メッセージの出力を開始する。また、同時に表示灯１３ｂを点灯させる。一方、煙濃度信号のレベルが第２の閾値を超えていないならば、煙濃度信号のレベルを読み取る処理に戻る（ステップ１１２〜１１４）。
【００２７】
なお、煙濃度信号のレベルが第２の閾値を超え、報知部１３によって警報メッセージの出力を開始したときには、同時に、照明部１４を非常灯として最大輝度あるいは最大照明範囲で点灯させてもよい。
【００２８】
また、変形例として、煙濃度信号のレベルが第１の閾値を超え、照明部１４を作動させて照明により報知した場合は、その後所定時間は、濃度信号のレベルが第１の閾値を超えていても、照明部１４による報知をしない構成としてもよい。このようにすれば、煙濃度信号のレベルが第１の閾値を超えた状態が長時間続いた場合、照明部１４による報知を間欠的に行うことになるので、消費電力が抑えられる。
【００２９】
また、更に変形例として、火災の可能性があると判断すると照明によって報知し、その後、火災と断定すると警報メッセージによって報知する本発明による動作モードと、火災と断定したときに、警報メッセージによる報知と照明による報知との両方を同時に行う従来の動作モードのいずれかを予め選択設定できるようにしてもよい。この選択設定は、例えば、操作部１６に設けたモードスイッチ等により行うことができる。
【図面の簡単な説明】
【００３０】
【図１】実施例の概略構成を示した機能ブロック図である。
【図２】実施例の外観を示した斜視図である。
【図３】実施例による照明の様子を示した模式図である。
【図４】実施例の基本動作の手順を示したフローチャートである。
【符号の説明】
【００３１】
１      警報器
１１    検知部
１２    比較部
１３    報知部
１４    照明部
１７    制御部
【図１】
2010146391.tif 000003
【図２】
2010146391.tif 000004
【図３】
2010146391.tif 000005
【図４】
2010146391.tif 000006